(57)【要約】【課題】スイッチや情報コンセントなどの機能モジュールの配置を容易に変更できる低コストの配線システムを提供する。【解決手段】配線システムは、低圧電力を供給する低圧電力路および情報信号を伝送する情報路を構成する棒状の複数の導電体５ａ，５ｂ、および、造営面に取着され複数の導電体５ａ，５ｂが露出した状態で並行に配設されるモジュール本体２を具備した配線モジュール１と、モジュール本体２に取着される器体１１を具備し、外部から供給される交流電力を低圧電力に変換して複数の導電体５ａ，５ｂに供給する電力変換部を器体１１内部に収納した電源ブロック１０と、複数の導電体５ａ，５ｂに対して着脱自在に係止されるとともに電気的に接続される栓刃を有し、栓刃を介して電力の受電および情報信号の授受を行う機能モジュール２０ａとを備える、【選択図】図１
2008251502.tif 000002
【特許請求の範囲】
【請求項１】
低圧電力を供給する低圧電力路および情報信号を伝送する情報路を構成する棒状の複数の導電体、および、造営面に取着され前記複数の導電体が露出した状態で並行に配設されるモジュール本体を具備した配線モジュールと、
前記モジュール本体に取着される電源ブロック本体を具備し、当該電源ブロック本体の内部に外部から供給される交流電力を低圧電力に変換して前記複数の導電体に供給する電力変換部を収納した電源ブロックと、
前記複数の導電体に対して接離自在に接触する電気的接続手段を有し、当該電気的接続手段を介して電力の受電および情報信号の授受を行う機能モジュールとを備えて成ることを特徴とする配線システム。
【請求項２】
前記電力変換部が、交流電力を低圧電力である直流電力に変換して前記複数の導電体に供給するＡＣ／ＤＣ変換部からなることを特徴とする請求項１記載の配線システム。
【請求項３】
前記電源ブロック本体が、前記導電体の長手方向一端側において前記モジュール本体に連結する連結手段を備えることを特徴とする請求項１又は２記載の配線システム。
【請求項４】
前記電源ブロック本体に対して前記モジュール本体が連結される側と反対側に連結され、内部に交流電力を供給する交流電力路を収納した配線ダクトを設け、配線ダクトの交流電力路を介して前記電力変換部に交流電力を供給することを特徴とする請求項３記載の配線システム。
【請求項５】
前記電源ブロック本体に対して前記モジュール本体が連結される方向と交差する方向から連結され、内部に交流電力を供給する交流電力路を収納した配線ダクトを設け、配線ダクトの交流電力路を介して前記電力変換部に交流電力を供給することを特徴とする請求項３記載の配線システム。
【請求項６】
前記電源ブロック本体が、前記複数の導電体に対して接離自在に接触する電気的接続手段を具備し、当該電気的接続手段を介して前記電力変換部から導電体に低圧電力を供給することを特徴とする請求項１又は２記載の配線システム。
【請求項７】
前記電源ブロック本体に、外部から入力される情報信号を低圧電力に重畳させて前記複数の導電体に出力する信号重畳手段と、前記複数の導電体を介して低圧電力に重畳されて送信された情報信号を分離して外部に出力する信号分離手段と、外部との間で情報信号のプロトコル又は情報信号を伝送する媒体の少なくとも何れか一方を変換する信号変換手段とを保持させたことを特徴とする請求項１乃至６の何れか１項に記載の配線システム。
【請求項８】
前記配線モジュールを複数備え、隣接する２つの配線モジュールの間を機械的に連結するとともに、配線モジュールの導電体間を電気的に接続する導電部材を具備したジョイントブロックを備え、当該ジョイントブロックに、外部から入力される情報信号を直流電圧に重畳させて前記複数の導電体に出力する信号重畳手段と、前記複数の導電体を介して直流電圧に重畳されて送信された情報信号を分離して外部に出力する信号分離手段と、外部との間で情報信号のプロトコル又は情報信号を伝送する媒体の少なくとも何れか一方を変換する信号変換手段とを保持させたことを特徴とする請求項１乃至６の何れか１項に記載の配線システム。
【発明の詳細な説明】
【技術分野】
【０００１】
本発明は、配線システムに関するものである。
【背景技術】
【０００２】
従来、商用交流電力を供給するための導電体を長手方向に収容した電源スペースを備え、前面側に電源スペースと外部とを連通する連通孔が長手方向の全体に亘って形成された配線ダクトと、栓刃を電源スペースに臨ませるようにして配線ダクトに取り付けられ、栓刃を導電体に接触させることで、給電されるコンセントブロックとで構成される配線システムが提供されている（例えば特許文献１参照）。
【特許文献１】特開昭６３−１３３４７４号公報
【発明の開示】
【発明が解決しようとする課題】
【０００３】
上述の配線システムでは、導電体が商用交流電源の電力路となっているため、導電体を露出した状態で施工することができず、したがってコンセントブロックを配線ダクトの所望の位置に取り付けた後に、連通孔の開口部分にカバーを取り付けて、連通孔を塞ぐ必要があった。そのため、コンセントブロックの位置を変更したい場合、取付位置によって連通孔の開口部分の大きさが変わるため、変更後の取付位置に合わせてカバーを用意する必要があり、コンセントブロックの取付位置の変更に容易に対応することができなかった。
【０００４】
ところで、６０Ｖ以下の小勢力回路に用いられる弱電流電線の場合、関連法規によって露出した状態で配線することが許容されているので、導電体を介して商用交流電源を供給する代わりに弱電流電気を供給し、この導電体に接続される負荷に対して弱電流電気を供給することも考えられるが、住戸内の各部屋で弱電流電気を使用するためには、商用交流電源を供給する電源ラインとは別に、弱電流電気を供給する電源ラインを各部屋に先行配線しておく必要があり、コストアップを招くという問題があった。
【０００５】
本発明は上記問題点に鑑みて為されたものであり、その目的とするところは、スイッチや情報コンセントなどの機能モジュールの配置を容易に変更できる低コストの配線システムを提供することにある。
【課題を解決するための手段】
【０００６】
上記目的を達成するために、請求項１の発明は、低圧電力を供給する低圧電力路および情報信号を伝送する情報路を構成する棒状の複数の導電体、および、造営面に取着され複数の導電体が露出した状態で並行に配設されるモジュール本体を具備した配線モジュールと、モジュール本体に取着される電源ブロック本体を具備し、当該電源ブロック本体の内部に外部から供給される交流電力を低圧電力に変換して複数の導電体に供給する電力変換部を収納した電源ブロックと、複数の導電体に対して接離自在に接触する電気的接続手段を有し、当該電気的接続手段を介して電力の受電および情報信号の授受を行う機能モジュールとを備えて成ることを特徴とする。
【０００７】
請求項２の発明は、請求項１の発明において、電力変換部が、交流電力を低圧電力である直流電力に変換して複数の導電体に供給するＡＣ／ＤＣ変換部からなることを特徴とする。
【０００８】
請求項３の発明は、請求項１又は２の発明において、電源ブロック本体が、導電体の長手方向一端側においてモジュール本体に連結する連結手段を備えることを特徴とする。
【０００９】
請求項４の発明は、請求項３の発明において、電源ブロック本体に対してモジュール本体が連結される側と反対側に連結され、内部に交流電力を供給する交流電力路を収納した配線ダクトを設け、配線ダクトの交流電力路を介して電力変換部に交流電力を供給することを特徴とする。
【００１０】
請求項５の発明は、請求項３の発明において、電源ブロック本体に対してモジュール本体が連結される方向と交差する方向から連結され、内部に交流電力を供給する交流電力路を収納した配線ダクトを設け、配線ダクトの交流電力路を介して電力変換部に交流電力を供給することを特徴とする。
【００１１】
請求項６の発明は、請求項１又は２の発明において、電源ブロック本体が、複数の導電体に対して接離自在に接触する電気的接続手段を具備し、当該電気的接続手段を介して電力変換部から導電体に低圧電力を供給することを特徴とする。
【００１２】
請求項７の発明は、請求項１乃至６の発明において、電源ブロック本体に、外部から入力される情報信号を低圧電力に重畳させて複数の導電体に出力する信号重畳手段と、複数の導電体を介して低圧電力に重畳されて送信された情報信号を分離して外部に出力する信号分離手段と、外部との間で情報信号のプロトコル又は情報信号を伝送する媒体の少なくとも何れか一方を変換する信号変換手段とを保持させたことを特徴とする。
【００１３】
請求項８の発明は、請求項１乃至６の発明において、配線モジュールを複数備え、隣接する２つの配線モジュールの間を機械的に連結するとともに、配線モジュールの導電体間を電気的に接続する導電部材を具備したジョイントブロックを備え、当該ジョイントブロックに、外部から入力される情報信号を直流電圧に重畳させて複数の導電体に出力する信号重畳手段と、複数の導電体を介して直流電圧に重畳されて送信された情報信号を分離して外部に出力する信号分離手段と、外部との間で情報信号のプロトコル又は情報信号を伝送する媒体の少なくとも何れか一方を変換する信号変換手段とを保持させたことを特徴とする。
【発明の効果】
【００１４】
請求項１の発明によれば、複数の導電体は低圧電力路および情報路を構成するのであるが、低圧電力路は、弱電流回路や小勢力回路に使用される低圧電力を供給するために用いられているので、複数の導電体を露出した状態で配設することができ、したがって導電体を覆うための部材が不要になるから、導電体に取り付けられる機能モジュールの位置を自由に変更できるという効果がある。さらに電源ブロックの電源ブロック本体は配線モジュールに取着され、電源ブロック本体に収納された電力変換部が交流電力を低圧電力に変換して導電体に供給しているので、本システムが設置される場所には商用電源を供給する電源ラインのみ配線しておけば良く、配線にかかるコストを低減できるという効果もある。
【００１５】
請求項２の発明によれば、ＡＣ／ＤＣ変換部により交流電力を直流電力に変換して、導電体に供給することができる。
【００１６】
請求項３の発明によれば、連結手段を用いて電源ブロック本体をモジュール本体と連結することで、導電体の長手方向に沿って電源ブロック本体とモジュール本体とを直列的に並べて配設することができるという効果がある。
【００１７】
請求項４の発明によれば、導電体の長手方向に沿って電源ブロック本体と並べて接続された配線ダクトより交流電力の供給を受けることができるという効果がある。
【００１８】
請求項５の発明によれば、電源ブロック本体にモジュール本体を連結する方向と交差する方向から配線ダクトが連結されるので、低圧電力を供給する導電体の配列方向と、交流電力を供給する配線ダクトの交流電力路とを交差するように配設することができる。
【００１９】
請求項６の発明によれば、電源ブロックから電気的接続手段を介して導電体に低圧電力を供給しているので、電力変換部を備える電源ブロックを所望の位置に取り付けることができる。
【００２０】
請求項７の発明によれば、電源ブロック本体に保持させた信号重畳手段と信号分離手段と信号変換手段とで導電体に供給された直流電力に重畳させる情報信号の送受信が行えるので、電源ブロックに電力供給とメディアコンバータの機能を持たせることができる。
【００２１】
請求項８の発明によれば、ジョイントブロックに保持させた信号重畳手段と信号分離手段と信号変換手段とで、導電体に供給された直流電力に重畳させる情報信号の送受信が行える。
【発明を実施するための最良の形態】
【００２２】
以下に本発明の実施の形態を図面に基づいて説明する。
【００２３】
（実施形態１）
本発明の実施形態１を図１〜図７に基づいて説明する。尚、以下の説明では特に断りが無いかぎり、図３（ａ）に示す向きにおいて上下左右の方向を規定し、図３（ａ）中の正面を前面として説明を行う。したがって、図３（ｂ）中の左端は後端となる。
【００２４】
本実施形態の配線システムは、例えば建物の壁面のような造営面に配設される配線モジュール１と、商用交流電力を低圧電力に変換して配線モジュール１が備える導電体に供給する電源ブロック１０と、配線モジュール１に対して着脱自在に取り付けられる機能モジュール２０（２０ａ，２０ｂ…）とを主要な構成として備える。本実施形態では機能モジュール２０として照明型の機能モジュール２０ａとカメラ型の機能モジュール２０ｂとを用いており、機能モジュール２０ａ，２０ｂに共通した説明を行うときは機能モジュール２０と表記し、個々の機能モジュール２０ａ，２０ｂに関する説明を行うときは機能モジュール２０ａ又は２０ｂと表記する。尚、機能モジュール２０を照明型の機能モジュール２０ａやカメラ型の機能モジュール２０ｂに限定する趣旨のものではなく、人感センサや明るさセンサなどのセンサ機能を有するものや、スピーカや内線通話の機能を有するものでも良い。
【００２５】
配線モジュール１は、図１及び図３（ｂ）に示すようにアルミニウムなどの金属により両端が開口した扁平な角筒状に形成され、表面が絶縁性の合成樹脂でコーティングされたモジュール本体２を備えている。モジュール本体２における造営面への取付面と反対側の面には、上下方向の略中間部に、内部の電源スペース３と外部とを連通する連通孔４が長手方向に沿って開口している。またモジュール本体２の電源スペース３には、連通孔４を間にして上下両側に、低圧電力を供給する低圧電力路および情報信号を伝送する情報路を構成する長尺の導電体５ａ，５ｂが長手方向に沿って配置されている。なお、モジュール本体２において、電源ブロック１０が接続される側と反対側の端部にはエンドキャップ６が取着されている。
【００２６】
電源ブロック１０の器体１１（電源ブロック本体）は、上下方向および左右方向の寸法が配線モジュール１のモジュール本体２と略同じ寸法に形成されている。器体１１においてモジュール本体２に連結される側の端部には、先端にモジュール本体２の被係止凹部（図示せず）と係止する爪１５ａを有する連結爪片１５（連結手段）が上下方向において移動自在に取り付けられている。器体１１の上側部に配置された連結爪片１５は、器体１１の上面に設けた貫通孔（図示せず）を通して操作部１５ｂが上側に突出しており、コイルばね１６によって上向きに付勢されている。同様に、器体１１の下側部に配置された連結爪片１５は、器体１１の下面に設けた貫通孔（図示せず）を通して操作部１５ｂが下側に突出しており、コイルばね１６によって下向きに付勢されている。また、器体１１においてモジュール本体２に連結される側と反対側の端部からは、先端に差込プラグ１２を有する電源コード１３が導出されており、電源コード１３を本システムの設置場所に設けた電源コンセントに差し込むことによって、器体１１の内部に収納した電力変換部１４に交流電源が供給されるのである。
【００２７】
一方、機能モジュール２０の器体２１は、背面が開口した横長の箱状の前カバー２１ａと、前カバー２１ａの背面に取着される後カバー２１ｂとで構成されている。前カバー２１ａの前面には、長手方向の一端側に透光カバー２２が配置され、透光カバー２２の内側には発光ダイオードなどの光源が収納されている。また器体２１の背部には、連通孔４を通してモジュール本体２の内部に挿入される筒状の回転体２３が回転自在に設けられており、回転体２３を回転させるための摘み２４が前カバー２１ａの前面に配置されている。回転体２３の周面には、回転体２３の中心部を挟んで対称な位置に一対の栓刃２５ａ，２５ｂが突設されており、摘み２４の回転操作に応じて一対の栓刃２５ａ，２５ｂが水平方向（モジュール本体２の長手方向と略平行な方向）に並ぶ状態と、栓刃２５ａを上側、栓刃２５ｂを下側にして垂直方向（モジュール本体２の短幅方向と略平行な方向と）に並ぶ状態とを選択できるようになっている。また回転体２３の周面には、各栓刃２５ａ，２５ｂの突設位置よりも前方寄りの位置に係止片２６，２６がそれぞれ突設されている。
【００２８】
而して、機能モジュール２０を配設するに当たっては、先ず配線モジュール１の一端側から電源ブロック１０を挿入して、電源ブロック１０の連結爪片１５，１５を配線モジュール１の被係止凹部に係止させることによって、電源ブロック１０を配線モジュール１に連結する。このように、連結爪片１５を用いて電源ブロック１０の器体１１をモジュール本体２と連結することで、導電体５ａ，５ｂの長手方向に沿って電源ブロック１０の器体１１とモジュール本体２とを直列的に並べて配設することができる。
【００２９】
次に、電源ブロック１０を配線モジュール１に連結した状態で、配線モジュール１及び電源ブロック１０を適宜の方法で壁材に固定するとともに、配線モジュール１の他端側にエンドキャップ６を取り付ける。そして、図２に示すように栓刃２５ａ，２５ｂおよび係止片２６，２６がそれぞれ水平方向に並ぶ位置まで回転体２３を回転させた状態で、機能モジュール２０を配線モジュール１の前面側から配線モジュール１に近づけて、回転体２３を連通孔４内に挿入した後、摘み２４を一方向に約９０度回転させると、摘み２４の回転操作に応じて、栓刃２５ａ，２５ｂが栓刃２５ａを上側にして上下方向に並び、且つ、係止片２６，２６が上下方向に並ぶ位置まで回転体２３が回転する。この時、係止片２６，２６と器体２１の背面との間にモジュール本体２の前壁が挟持されて、機能モジュール２０の器体２１がモジュール本体２に取着されるとともに、各栓刃２５ａ，２５ｂがそれぞれモジュール本体２内部に配置された導電体５ａ，５ｂに電気的に接続されるようになっている（図１及び図３参照）。
【００３０】
一方、機能モジュール２０を配線モジュール１に取り付けた状態で、摘み２４を逆方向に約９０度回転させると、栓刃２５ａ，２５ｂおよび係止片２６，２６がそれぞれ水平方向に並ぶ位置まで回転体２３が回転するので、この状態で機能モジュール２０を前方に移動させることによって、機能モジュール２０を配線モジュール１から取り外すことができる。また配線モジュール１から電源ブロック１０を取り外す際には、連結爪片１５の操作部１５ｂを押操作して、連結爪片１５の爪１５ａを配線モジュール１の被係止凹部から後退させれば、爪１５ａと被係止凹部との係止状態が解除されるので、電源ブロック１０を配線モジュール１から容易に取り外すことができる。
【００３１】
ところで、配線モジュール１を長手方向に沿って複数台連設する場合には、図４に示すように、隣接する２台の配線モジュール１の間を連結するジョイントブロック３０（連結手段）が用いられる。ジョイントブロック３０の器体３１は、上下方向および前後方向の寸法が配線モジュール１のモジュール本体２と略同じ寸法に形成されており、モジュール本体２が接続される両端側にはモジュール本体２を連結するための連結手段（図示せず）が設けられている。また、器体３１の内部には、両側のモジュール本体２が備える導電体５ａ，５ｂにそれぞれ電気的に接続される導電体３２ａ，３２ｂが収納されている。
【００３２】
而して、複数台の配線モジュール１を壁に配設する際には、隣接する配線モジュール１の間をジョイントブロック３０を介して連結した状態で、配線モジュール１及びジョイントブロック３０を適宜の方法を用いて壁材に固定する。この時、複数台の配線モジュール１が備える導電体５ａ同士がジョイントブロック３０の導電体３２ａを介して電気的に接続されるとともに、複数台の配線モジュール１が備える導電体５ｂ同士がジョイントブロック３０の導電体３２ｂを介して電気的に接続される。そして、連結方向の一端側に位置する配線モジュール１に電源ブロック１０を連結すると、電源ブロック１０から複数台の配線モジュール１が備える導電体５ａ，５ｂに対して低圧電力が供給される。尚、連結方向の他端側に位置する配線モジュール１にはエンドキャップ６が取り付けられており、配線モジュール１の一端側の開口がエンドキャップ６により閉塞されている。
【００３３】
次に本配線システムの概略的なシステム構成について図６を参照して説明する。電源ブロック１０は、外部から供給される商用交流電源ＡＣの交流電力を低圧電力（例えばＤＣ２４Ｖ）に変換して、配線モジュール１の導電体５ａ，５ｂに供給する電力変換部１４を備えている。
【００３４】
また、機能モジュール２０は、栓刃２５ａ，２５ｂを介して導電体５ａ，５ｂから直流電力を受電し、内部回路の動作電源を生成する電源部２７と、所望の機能を実現するための機能部２８と、機能部２８から入力される情報信号を低圧電力に重畳させて導電体５ａ，５ｂに出力する信号重畳部２９ａ、導電体５ａ，５ｂを介して低圧電力に重畳されて送信された情報信号を分離して外部に出力する信号分離部２９ｂ、および情報信号のプロトコル又は情報信号を伝送する媒体の少なくとも何れか一方を変換する信号変換部２９ｃを具備したメディアコンバート部２９とを備えている。ここにおいて、個々の機能モジュール２０ａ，２０ｂでは、各機能モジュール２０ａ，２０ｂが備える機能に応じて、機能部２８の構成が異なっている。例えば、照明型の機能モジュール２０ａの場合には、図７（ａ）に示すように発光源としてのＬＥＤ２８ａと、ＬＥＤ２８ａに励磁電流を供給する点灯回路部２８ｂと、メディアコンバート部２９から入力される制御信号に基づいて点灯回路部２８ｂの出力を制御する点灯制御部２８ｃとで機能部２８が構成される。また、カメラ型の機能モジュール２０ｂの場合には、図７（ｂ）に示すように例えばＣＣＤカメラのようなカメラ２８ｄと、メディアコンバート部２９から入力される制御信号に基づいてカメラ２８ｄを制御するとともに、カメラ２８ｄの画像データをメディアコンバート部２９に出力するカメラ駆動部２８ｅとで機能部２８が構成される。
【００３５】
また、ジョイントブロック３０は、外部から入力される情報信号を直流電圧に重畳させて導電体３２ａ，３２ｂ（すなわち配線モジュール１の導電体５ａ，５ｂ）に出力する信号重畳部３３ａ、複数の導電体３２ａ，３２ｂ（すなわち配線モジュール１の導電体５ａ，５ｂ）を介して直流電圧に重畳されて送信された情報信号を分離して外部に出力する信号分離部３３ｂ、および外部装置にケーブル（図示せず）を介して接続され外部装置との間で情報信号のプロトコル又は情報信号を伝送する媒体の少なくとも何れか一方を変換する信号変換部３３ｃを具備したメディアコンバート部３３を備えている。
【００３６】
以上説明したように本実施形態の配線システムでは、配線モジュール１の備える導電体５ａ，５ｂが低圧電力路および情報路を構成しており、導電体５ａ，５ｂは例えばＤＣ２４Ｖのような弱電流回路に使用される低圧電力を供給するために用いられているので、複数の導電体５ａ，５ｂを露出した状態で配設することができる。したがって、連通孔４の開口部分（すなわち機能モジュール２０が取着されていない部分）を覆うための部材が不要になるから、導電体５ａ，５ｂに取り付けられる機能モジュール２０の位置を自由に変更できるという効果がある。さらに、電源ブロック１０の器体１１（電源ブロック本体）は配線モジュール１のモジュール本体２に取着されており、電源ブロック１０の電力変換部１４が交流電力を低圧電力に変換して、配線モジュール１の導電体５ａ，５ｂに供給しているので、本システムが設置される場所には商用電源が供給される電源ラインのみ配線しておけば良く、配線にかかるコストを低減できるという効果もある。
【００３７】
また本実施形態では電力変換部１４が、交流電力を直流電力に変換するＡＣ／ＤＣ変換部で構成されており、ＡＣ／ＤＣ変換部で変換された直流電力を導電体５ａ，５ｂに供給することができる。なお電力変換部１４を、商用交流電源を小勢力回路（６０Ｖ以下の電圧）で使用される交流電圧に変換するＡＣ／ＡＣ変換部で構成しても良く、上述と同様に配線モジュール１の導電体５ａ，５ｂには低圧電力を供給しているので、連通孔４の開口部分（すなわち機能モジュール２０が取着されていない部分）を覆うための部材が不要になり、配線モジュール１に取り付けられる機能モジュール２０の位置を自由に変更することができる。
【００３８】
また、複数の配線モジュール１の間を連結するジョイントブロック３０にはメディアコンバート部３３を設けているので、配線モジュール１に取り付けた機能モジュール２０と外部との間で配線モジュール１の導電体５ａ，５ｂ、ジョイントブロック３０の導電体３２ａ，３２ｂ、および、メディアコンバート部３３を介して情報信号の授受を行うことができる。
【００３９】
（実施形態２）
本発明の実施形態２を図８〜図９に基づいて説明する。実施形態１では、電源ブロック１０の器体１１から電源コード１３を導出し、電源コード１３の差込プラグ１２を電源コンセントに接続することで、電力変換部１４に商用交流電源を供給しているのに対して、本実施形態では、電源ブロック１０の器体１１において配線モジュール１が接続される側と反対側の端部に配線ダクト４０を接続してあり、配線ダクト４０を介して電源ブロック１０に商用交流電源を供給している。尚、実施形態１の配線システムと共通する構成要素には同一の符号を付してその説明は省略し、本実施形態の特徴部分についてのみ説明を行う。
【００４０】
配線ダクト４０は、図９に示すように、アルミニウムなどの金属により両端が開口した扁平な角筒状に形成され、表面が絶縁性の合成樹脂でコーティングされたダクト本体４１を備えている。ダクト本体４１における造営面と反対側の面には、上下方向の略中間部に、内部の電源スペース４２と外部とを連通する連通孔４３が長手方向に沿って開口している。またダクト本体４１の電源スペース４２には、連通孔４３を間にして上下両側に、商用電源を給電するための長尺の導体４４，４４が長手方向に沿って配置されている。
【００４１】
この配線ダクト４０にはコンセントブロック５０が着脱自在に取り付けられる。コンセントブロック５０の器体は、背面が開口した横長の箱状の前カバー５１と、前カバー５１の背面に取着される後カバー５２とで構成されている。
【００４２】
前カバー５１の前面には、各一対の栓刃挿入口５４ａを備えたコンセント口５４が長手方向の両端側にそれぞれ形成されている。一方、後カバー５２には各コンセント口５４の裏側位置に、背面側に向かって突出し、連通孔４３を通してダクト本体４１の内部に収納される突出部５３が一体に形成されており、突出部５３内には各栓刃挿入口５４ａを通して器体内部に挿入される栓刃（図示せず）を受ける刃受ばね（図示せず）が納装されており、各刃受ばねは後述の栓刃５７に電気的に接続されている。
【００４３】
またコンセントブロック５０の背部には、連通孔４３を通してダクト本体４１の内部に挿入される筒状の回転体５５が回転自在に設けられており、回転体５５を回転させるための摘み５６が前カバー５１の前面に配置されている。回転体５５の周面には、回転体５５の中心部を挟んで対称な位置に一対の栓刃５７が突設されており、摘み５６の回転操作に応じて一対の栓刃５７が水平方向（ダクト本体４１の長手方向と略平行な方向）に並ぶ状態と、垂直方向（ダクト本体４１の短幅方向と略平行な方向と）に並ぶ状態とを選択できるようになっている。なお、各栓刃５７は各栓刃挿入口５４ａに対応して設けられた刃受部材にそれぞれ電気的に接続されている。また回転体５５の周面には、各栓刃５７の突設位置よりも前方寄りの位置に係止片５８がそれぞれ突設されている。
【００４４】
而して、突出部５３および回転体５５を連通孔４３内に挿入した状態で一対の栓刃５７が垂直方向（上下方向）に並ぶ位置まで摘み５６を一方向に約９０度回転させると、係止片５８，５８と後カバー５２の背面との間にダクト本体４１の前壁が挟持されて、コンセントブロック５０の器体がダクト本体４１に取着されるとともに、各栓刃５７がダクト本体４１内部に配置された導体４４，４４に電気的に接続されるようになっている。一方、コンセントブロック５０を配線ダクト４０から取り外す際には、摘み５６を反対方向に約９０度回転させると、各一対の栓刃５７および係止片５８が水平方向に並ぶ状態となり、係止片５８とダクト本体４１との係合状態が解除されるので、コンセントブロック５０を配線ダクト４０から容易に取り外すことができる。
【００４５】
また本実施形態では、電源ブロック１０の器体１１において、配線ダクト４０が接続される側の端部にも実施形態１で説明した連結爪片１５を設けてあり、配線モジュール１と同様の取付方法で電源ブロック１０に配線ダクト４０を取り付けてある。また電源ブロック１０に配線ダクト４０を連結すると、配線ダクト４０の内部に収納された導体４４，４４が電源ブロック１０の電力変換部１４の入力側端に電気的に接続され、導体４４，４４を介して電力変換部１４に商用電源が供給されるようになっている。
【００４６】
また、配線ダクト４０には電源ブロック１０が連結される側と反対側の端部にエンドキャップ７を取り付けてあり、エンドキャップ７の端部から引き出された電源コード７ｂのプラグ７ａを電源コンセント（図示せず）に差込接続することによって、配線ダクト４０の導体４４，４４に商用電源が供給されるとともに、導体４４，４４を介して電源ブロック１０の電力変換部１４やコンセントブロック５０のコンセント口５４に商用電源が供給されるのである。
【００４７】
以上説明したように本実施形態の配線システムでは、電源ブロック１０の器体１１に対してモジュール本体２が連結される側と反対側に配線ダクト４０を連結し、配線ダクト４０の交流電力路（導体４４，４４）を介して電力変換部１４に交流電力を供給しているので、配線モジュール１の導電体５ａ，５ｂの長手方向に沿って、電源ブロック１０の器体１１と並べて接続された配線ダクト４０から交流電力の供給を受けることができる。尚、図８に示すように配線ダクト４０の連通孔４３にはカバー４５が取着され、電源スペース４２を閉塞するようになっている。
【００４８】
（実施形態３）
本発明の実施形態３を図１０及び図１１に基づいて説明する。実施形態２では、電源ブロック１０に対して低圧電力を供給する配線モジュール１が連結される側と反対側に、商用交流電源を供給する配線ダクト４０を連結して、電源ブロック１０と配線モジュール１と配線ダクト４０とを直線的に配列しているのに対して、本実施形態では、図１１に示すように電源ブロック１０に対して配線モジュール１を連結する方向と交差する方向（例えば直交方向）から、配線ダクト４０を連結している。尚、配線ダクト４０の連結方向以外は上述した実施形態２と同様であるので、共通する構成要素には同一の符号を付して、その説明は省略する。
【００４９】
電源ブロック１０の器体１１ａは前面視の形状が略十字形に形成されており、左右両側部には配線モジュール１を連結するための連結爪片１５が設けられている。また器体１１ａの上下両側面には、配線ダクト４０の器体と幅寸法および厚み寸法が略同じ寸法に形成された突出部１７，１７が設けられ、各突出部１７の先端側には配線ダクト４０を連結するための連結爪片１５が設けられている。
【００５０】
図１１は電源ブロック１０の内部回路を示す概略のブロック図であり、上下両側から連結される配線ダクト４０，４０の導体４４，４４がそれぞれ電気的に接続される交流側接続端子Ｔ１，Ｔ１および交流側接続端子Ｔ２，Ｔ２と（以下、接続端子Ｔ１，Ｔ１，Ｔ２，Ｔ２と略称す）、左右両側から連結される配線モジュール１の導電体５ａ，５ｂがそれぞれ電気的に接続される直流側接続端子ｔ１，ｔ１および直流側接続端子ｔ２，ｔ２とを備えている（以下、接続端子ｔ１，ｔ１，ｔ２，ｔ２と略称す）。接続端子Ｔ１，Ｔ１と接続端子Ｔ２，Ｔ２の間はそれぞれ内部の交流電力路Ｌ２を介して電気的に接続され、接続端子ｔ１，ｔ１と接続端子ｔ２，ｔ２の間はそれぞれ内部の直流電力路Ｌ３を介して電気的に接続されている。また電源ブロック１０は、内部の交流電力路Ｌ２から供給される商用電源を直流電源に変換して内部の直流電力路Ｌ３に出力する電力変換部１４と、交流電力路Ｌ２から入力される情報信号を直流電圧（低圧電力）に重畳させて直流電力路Ｌ３（すなわち導電体５ａ，５ｂ）に出力する信号重畳部１８ａ、直流電力路Ｌ３（すなわち導電体５ａ，５ｂ）を介して直流電圧に重畳されて送信された情報信号を分離して交流電力路Ｌ２に出力する信号分離部１８ｂ、および交流電圧に重畳して授受される情報信号と直流電圧に重畳して授受される情報信号との間のプロトコル又は伝送媒体の少なくとも何れか一方を変換する信号変換部１８ｃを具備したメディアコンバート部１８を備えている。
【００５１】
而して、本配線システムを使用するに当たっては、電源ブロック１０の器体１１ａの左右両側に連結爪片１５を用いて配線モジュール１のモジュール本体２を連結するとともに、器体１１ａの上下両側面に設けた各突出部１７に連結爪片１５を用いて配線ダクト４０のダクト本体４１を連結する。また配線ダクト４０の端末にエンドキャップ７を連結し、エンドキャップ７から引き出された電源コード７ｂのプラグ７ａを電源コンセント（図示せず）に差込接続することによって、配線ダクト４０の導体４４，４４に商用電源を供給する。ここで、配線モジュール１０の電力変換部１４が交流電力路Ｌ２から得た商用電源を直流電力に変換して配線モジュール１に供給することにより、配線モジュール１に接続された機能モジュール２０に対して直流電力が供給される。また配線モジュール１０のメディアコンバート部１８が交流電力路Ｌ２を介して授受される伝送信号と、直流電力路Ｌ３を介して授受される伝送信号との間のプロトコル変換を行っているので、配線モジュール１に接続された機能モジュール２０が配線モジュール１、電源ブロック１０および配線ダクト４０を介して交流電力路に接続された機器との間で伝送信号の授受を行うことができる。また本実施形態によれば、電源ブロック１０の器体１１に対して、配線モジュール１のモジュール本体２を連結する方向と、交差する方向から配線ダクトが連結されるので、低圧電力を供給する導電体５ａ，５ｂの配列方向と、配線ダクト４０の交流電力路の配列方向とを交差するように配設できる。
【００５２】
（実施形態４）
本発明の実施形態４を図１２および図１３に基づいて説明する。実施形態１では、配線モジュール１の長手方向の端部に電源ブロック１０を連結しているのに対して、本実施形態では、図１２（ａ）（ｂ）に示すように、機能モジュール２０と同様の方法で電源ブロック１０ａを配線モジュール１に対して着脱自在としてある。尚、電源ブロック１０ａ以外の構成は実施形態１と同様であるので、共通する構成要素には同一の符号を付してその説明は省略する。
【００５３】
電源ブロック１０ａの器体６１の背部には、図１２（ｂ）に示すように、連通孔４を通してモジュール本体２の内部に挿入される筒状の回転体６２が回転自在に設けられており、回転体６２を回転させるための摘み６５が器体６１の前面に配置されている。回転体６２の周面には、回転体６２の中心部を挟んで対称な位置に一対の栓刃６３が突設されており、摘み６５の回転操作に応じて一対の栓刃６３が水平方向（モジュール本体２の長手方向と略平行な方向）に並ぶ状態と、一対の栓刃６３が垂直方向（モジュール本体２の短幅方向と略平行な方向と）に並ぶ状態とを選択できるようになっている。また回転体６２の周面には、各栓刃６３の突設位置よりも前方寄りの位置に係止片６４，６４がそれぞれ突設されている。また器体６１の下面からは、一対の栓刃６３に電気的に接続された電源コード６６が引き出され、電源コード６６の端部に設けたプラグ６７を電源コンセント（図示せず）に差込接続することによって、電源ブロック１０ａに商用電源が供給される。
【００５４】
また図１３は電源ブロック１０ａの内部回路を示すブロック図であり、差込プラグ６７を介して供給される商用電源を直流電源に変換して一対の栓刃６３に供給する電力変換部１４と、交流電力路から入力される情報信号を直流電圧（低圧電力）に重畳させて直流電力路（すなわち導電体５ａ，５ｂ）に出力する信号重畳部１８ａ、および、直流電力路（すなわち導電体５ａ，５ｂ）を介して直流電圧に重畳されて送信された情報信号を分離して交流電力路に出力する信号分離部１８ｂ、交流電力路を介して供給される交流電圧に重畳して授受される情報信号と直流電力路を介して供給される直流電圧に重畳して授受される情報信号との間でプロトコル又は伝送媒体の少なくとも何れか一方を変換する信号変換部１８ｃを具備したメディアコンバート部１８とを備えている。
【００５５】
ここで、電源ブロック１０ａを配線モジュール１０に配設するに当たっては、図１２（ｂ）に示すように、各一対の栓刃６３および係止片６４がそれぞれ水平方向に並ぶ位置まで回転体６２を回転させた状態で、電源ブロック１０ａを配線モジュール１の前面側から配線モジュール１に近づけて、回転体６２を連通孔４内に挿入した後、摘み６５を一方向に約９０度回転させると、摘み６５の回転操作に応じて、各一対の栓刃６３および係止片６４が上下方向に並ぶ位置まで回転体６２が回転する。この時、係止片６４，６４と器体６１の背面との間にモジュール本体２の前壁が挟持されて、電源ブロック１０ａの器体６１がモジュール本体２に取着されるとともに、各栓刃６３，６３がそれぞれモジュール本体２内部に配置された導電体５ａ，５ｂに電気的に接続されるのである。また、各一対の栓刃６３が配線モジュール１の導電体５ａ，５ｂに電気的に接続されるので、電源ブロック１０ａから供給される直流電圧が配線モジュール１の導電体５ａ，５ｂを介して機能モジュール２０に供給される。またメディアコンバート部１８が交流電力路を介して授受される伝送信号と、直流電力路を介して授受される伝送信号との間のプロトコル変換を行っているので、配線モジュール１に接続された機能モジュール２０が配線モジュール１および電源ブロック１０ａを介して交流電力路に接続された機器との間で伝送信号の授受を行うことができる。また本実施形態では、配線モジュール１の導電体５ａ，５ｂに栓刃６３（電気的接続手段）を介して係止される電源ブロック１０ａから、導電体５ａ，５ｂに低圧電力を供給しているので、電力変換部１４を備える電源ブロック１０ａ（電源ブロック）を配線モジュール１の所望の位置に取り付けることができる。
【００５６】
尚、本実施形態では電源ブロック１０ａの電力変換部１４が商用電源を直流電圧に変換して配線モジュール１に供給しているが、例えば小勢力回路に用いられる６０Ｖ以下の交流電圧に変換して配線モジュール１に供給するようにしても良い。
【図面の簡単な説明】
【００５７】
【図１】実施形態１の配線システムに用いる配線モジュールに機能モジュールを取り付けた状態の外観斜視図である。
【図２】同上に用いる配線モジュールに機能モジュールを取り付ける前の状態を示した説明図である。
【図３】同上に用いる配線モジュールに機能モジュールを取り付けた状態を示し、（ａ）は一部省略せる正面図、（ｂ）は側断面図である。
【図４】同上に用いる配線モジュールを複数連結した状態の説明図である。
【図５】同上に用いる電源ブロックの説明図である。
【図６】同上の概略的なシステム構成図である。
【図７】（ａ）（ｂ）は機能モジュールの要部ブロック図である。
【図８】実施形態２の配線システムに用いる配線モジュールに機能モジュールを取り付けた状態の外観斜視図である。
【図９】同上に用いる配線ダクトにコンセントブロックを取り付ける前の状態を示した説明図である。
【図１０】実施形態３の配線システムを示す概略構成図である。
【図１１】同上に用いる電源ブロックの概略ブロック図である。
【図１２】（ａ）は実施形態４の配線システムを示す概略構成図、（ｂ）は電源ブロックの外観斜視図である。
【図１３】同上に用いる電源ブロックの概略ブロック図である。
【符号の説明】
【００５８】
１  配線モジュール
２  モジュール本体
５ａ，５ｂ  導電体
１０  電源ブロック
１１  器体
２０ａ  機能モジュール
【図１】
2008251502.tif 000003
【図２】
2008251502.tif 000004
【図３】
2008251502.tif 000005
【図４】
2008251502.tif 000006
【図５】
2008251502.tif 000007
【図６】
2008251502.tif 000008
【図７】
2008251502.tif 000009
【図８】
2008251502.tif 000010
【図９】
2008251502.tif 000011
【図１０】
2008251502.tif 000012
【図１１】
2008251502.tif 000013
【図１２】
2008251502.tif 000014
【図１３】
2008251502.tif 000015